【手続補正書】
【提出日】平成30年8月7日(2018.8.7)
【手続補正１】
【補正対象書類名】特許請求の範囲
【補正対象項目名】全文
【補正方法】変更
【補正の内容】
【特許請求の範囲】
【請求項１】
印刷入りの物品のための情報を符号化するためのシステムであって、
ｉ）第１の色（Ｓ１）を表すデータ、ｉｉ）第２の色データ（Ｓ２）を表すデータ、及びｉｉｉ）第３の色データ（Ｓ３）を表すデータを記憶するためのメモリであって、第３の色データ（Ｓ３）を表す前記データを、最大（正の）微調整値及び最小（負の）微調整値で変調することにより、符号化された情報が提供される、当該メモリと、
１つ又は複数のプロセッサであって、
Ｓ１と、Ｓ２及びＳ３の組み合わせとの間の色誤差を決定し、前記組み合わせは前記最大及び最小微調整値を含み、
前記最大及び最小微調整値に関連する情報変調誤差を決定し、
前記色誤差を最小にすること及び前記情報変調誤差を最小にすることを含めて、前記Ｓ２及びＳ３の組み合わせを最適化する、
ように構成され、前記最適化することが、色重み及び大域的な信号強度を決定することを含み、前記色重みが、第３の色データ（Ｓ３）を表す前記データに適用されるものであり、前記大域的な信号強度が、前記変調することを調整するためのものである、当該１つ又は複数のプロセッサと、
前記最適化されたＳ２及びＳ３の組み合わせを、前記印刷入りの物品に印刷されるデザイン内で使用するために提供するための出力装置と、
を備えるシステム。
【請求項２】
第３の色データ（Ｓ３）を表す前記データが、３つ以上のプロセスカラー（シアン、マゼンタ、イエロー）を表すデータを含み、前記色重みが、対応するプロセスカラーとして、シアン色重み、マゼンタ色重み、およびイエロー色重みを含む、
請求項１に記載のシステム。
【請求項３】
前記最適化することが、６３０ナノメータ〜６８０ナノメータの間の分光反射率によって制約される、請求項１又は２に記載のシステム。
【請求項４】
前記最適化することが、６５５ナノメータ〜６７０ナノメータの間の分光反射率によって制約される、請求項１又は２に記載のシステム。
【請求項５】
前記第３の色データ（Ｓ３）を表す前記データが、２つ以上のプロセスカラー（シアン、マゼンタ）を表すデータを含み、第２の色データ（Ｓ２）を表す前記データが第２の色を表す、請求項１に記載のシステム。
【請求項６】
前記第３の色データ（Ｓ３）を表す前記データが、さらに、シアンのプロセスカラーおよび黒のプロセスカラーを表すデータを含む、請求項５に記載のシステム。
【請求項７】
前記第２の色が、前記第１の色（Ｓ１）の逆スクリーニングバージョンを含む、請求項５又は６に記載のシステム。
【請求項８】
前記最大及び最小微調整値が２次元画像のデジタル透かしタイルに対応する、請求項１〜７の何れか一項に記載のシステム。
【請求項９】
デジタル透かし信号が前記最大及び最小微調整値を含む、請求項１〜８の何れか一項に記載のシステム。
【請求項１０】
前記システムが、ディスプレイ、をさらに備え、
前記１つ又は複数のプロセッサが、デジタル透かし埋め込みの選択肢をユーザが選択することができるグラフィカルユーザインターフェースを提供するように構成される、請求項１〜９の何れか一項に記載のシステム。
【請求項１１】
前記１つ又は複数のプロセッサが、隣接する色、以前の観察により観測された色、又は、システム若しくはユーザの制約に基づく複数の候補から、前記第２の色データ（Ｓ２）を表す前記データを選択するように構成される、請求項１〜１０の何れか一項に記載のシステム。
【請求項１２】
前記１つ又は複数のプロセッサが、
ｉ）透かし微調整値が原因と考えられる輝度を最小にするという制約、及び、ｉｉ）６６０ナノメータ又はその前後と５３０ナノメータ又はその前後とにおける、少なくともシアンとマゼンタとの間の微調整値差を最大にするという制約、の下で、前記最大（正の）微調整値および前記最小（負の）微調整値を決定し、
前記第３の色データ（Ｓ３）を表す前記データを、前記最大（正の）微調整値および前記最小（負の）微調整値で変調する、
ように構成される、請求項１〜１１の何れか一項に記載のシステム。
【請求項１３】
前記Ｓ２及びＳ３の組み合わせを最適化することは、６６０ナノメータ又はその前後で前記Ｓ１に比べて反射率が小さい（Ｓ２＋Ｓ３）の組み合わせである、という制約を受ける、請求項１〜１２の何れか一項に記載のシステム。
【請求項１４】
印刷入りの物品のための情報を符号化するためのシステムであり、
ｉ）第１の色（Ｓ１）を表すデータ、ｉｉ）第２の色データ（Ｓ２）を表すデータ、及びｉｉｉ）第３の色データ（Ｓ３）を表すデータを記憶するためのメモリであって、第３の色データ（Ｓ３）を表す前記データを、最大（正の）微調整値及び最小（負の）微調整値で変調することにより、符号化された情報が提供される、当該メモリと、
１つ又は複数のプロセッサと、
最適化されたＳ２及びＳ３の組み合わせを、前記印刷入りの物品に印刷されるデザイン内で使用するために提供するための出力装置と、
を備えるシステム、
によって実行される方法であって、
前記１つ又は複数のプロセッサが、Ｓ１と、Ｓ２及びＳ３の組み合わせとの間の色誤差を決定するステップであって、前記組み合わせは前記最大及び最小微調整値を含む、当該ステップと、
前記１つ又は複数のプロセッサが、前記最大及び最小微調整値に関連する情報変調誤差を決定するステップと、
前記１つ又は複数のプロセッサが、前記色誤差を最小にすること及び前記情報変調誤差を最小にすることを含めて、前記Ｓ２及びＳ３の組み合わせを最適化するステップと、
を有し、
前記最適化するステップが、色重み及び大域的な信号強度を決定することを含み、前記色重みが、第３の色データ（Ｓ３）を表す前記データに適用されるものであり、前記大域的な信号強度が、前記変調することを調整するためのものである、
当該方法。
【請求項１５】
第３の色データ（Ｓ３）を表す前記データが、３つ以上のプロセスカラー（シアン、マゼンタ、イエロー）を表すデータを含み、前記色重みが、対応するプロセスカラーとして、シアン色重み、マゼンタ色重み、およびイエロー色重みを含む、
請求項１４に記載の方法。
【請求項１６】
前記最適化するステップが、６３０ナノメータ〜６８０ナノメータの間の分光反射率によって制約される、請求項１４又は１５に記載の方法。
【請求項１７】
前記最適化するステップが、６５５ナノメータ〜６７０ナノメータの間の分光反射率によって制約される、請求項１４又は１５に記載の方法。
【請求項１８】
前記第３の色データ（Ｓ３）を表す前記データが、２つ以上のプロセスカラー（シアン、マゼンタ）を表すデータを含み、第２の色データ（Ｓ２）を表す前記データが第２の色を表す、請求項１４に記載の方法。
【請求項１９】
前記第３の色データ（Ｓ３）を表す前記データが、さらに、シアンのプロセスカラーおよび黒のプロセスカラーを表すデータを含む、請求項１８に記載の方法。
【請求項２０】
前記第２の色が、前記第１の色（Ｓ１）の逆スクリーニングバージョンを含む、請求項１８又は１９に記載の方法。
【請求項２１】
前記最大及び最小微調整値が２次元画像のデジタル透かしタイルに対応する、請求項１４〜２０の何れか一項に記載の方法。
【請求項２２】
デジタル透かし信号が前記最大及び最小微調整値を含む、請求項１４〜２１の何れか一項に記載の方法。
【請求項２３】
前記システムが、ディスプレイをさらに備え、
前記方法は、
前記１つ又は複数のプロセッサが、デジタル透かし埋め込みの選択肢をユーザが選択することができるグラフィカルユーザインターフェースを提供するステップ、
をさらに有する、請求項１４〜２２の何れか一項に記載の方法。
【請求項２４】
前記方法は、
前記１つ又は複数のプロセッサが、隣接する色、以前の観察により観測された色、又は、システム若しくはユーザの制約に基づく複数の候補から、前記第２の色データ（Ｓ２）を表す前記データを選択するステップ、
をさらに有する、請求項１４〜２３の何れか一項に記載の方法。
【請求項２５】
前記方法は、
前記１つ又は複数のプロセッサが、ｉ）透かし微調整値が原因と考えられる輝度を最小にするという制約、及び、ｉｉ）６６０ナノメータ又はその前後と５３０ナノメータ又はその前後とにおける、少なくともシアンとマゼンタとの間の微調整値差を最大にするという制約、の下で、前記最大（正の）微調整値および前記最小（負の）微調整値を決定するステップと、
前記１つ又は複数のプロセッサが、前記第３の色データ（Ｓ３）を表す前記データを、前記最大（正の）微調整値および前記最小（負の）微調整値で変調するステップと、
をさらに有する、請求項１４〜２４の何れか一項に記載の方法。
【請求項２６】
前記Ｓ２及びＳ３の組み合わせを最適化するステップは、６６０ナノメータ又はその前後で前記Ｓ１に比べて反射率が小さい（Ｓ２＋Ｓ３）の組み合わせである、という制約を受ける、請求項１４〜２５の何れか一項に記載の方法。